(57)【要約】【課題】本発明の石油ストーブの目的は、複数のカートリッジ式灯油タンクの収納する複数のスペース部を設け、そのスペース部内のタンクからの灯油を切換スイッチによリ、より長時間灯油を燃焼部に供給できるようにすることにある。【解決手段】石油ストーブに複数のタンク収納スペースを設け、このスペースにカートリッジ式灯油タンクを収納し、切換スイッチにより、いずれのスペース内のカートリッジ式灯油タンクからでも灯油を石油ストーブの燃焼部に長時間供給することができるようにした石油ストーブの構造。【選択図】      図１
2004294014.tif 000002
【特許請求の範囲】
【請求項１】
複数のカートリッジ式灯油タンクと、該複数のタンクを各別に収納する複数のスペース部と、該それぞれのスペース部の給油口からの灯油を供給して燃焼する燃焼部とからなる石油ストーブであって、前記複数のスペース部にある各タンクからの灯油を前記燃焼部へ供給可能にした切換スイッチを設けたことを特徴とする石油ストーブ。
【請求項２】
前記カートリッジ式灯油タンクに、灯油の残量を確認する透視目盛を設けたことを特徴とする請求項１に記載の石油ストーブ。
【請求項３】
前記石油ストーブと、該石油ストーブに被せる飾り棚や収納箱などの家具を組み合せたことを特徴とする請求項１又は２に記載の石油ストーブの収納方法。
【発明の詳細な説明】
【０００１】
【発明の属する技術分野】
本発明は、石油ストーブ、特に手間が掛らずに長時間使用できる石油ストーブとその収納方法に関する。
【０００２】
【従来の技術】
現在使用されている石油ストーブは、灯油をポンプで供給したトリッジ式灯油タンクにポンプで供給したものを燃焼部で燃焼しているが、これでは供給時は燃焼していない状態なので体が寒いだけでなく、灯油が手に付着して汚してしまい、かつ庭や床に落ちて火災の危険があるという欠点があった。そこで、これらを回避するためにポリエチレンなどの合成樹脂製の燃料容器を容器タンクに供給し、タンク内の穿孔突起に突き刺さることで灯油を燃焼部へ供給するものが提案されている。
このために、一つのカートリッジ式灯油タンクが燃焼して空になったときには、もう一方にスペアのカートリッジ式灯油タンクと取り替えて使用するものが公開されている。
【０００３】
【特許文献１】
特開平９−２２９３４７号公報
【特許文献２】
実開平１−１１２３０４公報
【０００４】
【発明が解決しようとする課題】
しかし、上記特許文献２の考案は２つのカートリッジ式灯油タンクはあるものの、一方のタンクに灯油が空になれば他方のタンクと交換しなければならず、灯油漏れはないものの、灯油の燃焼部への継続的供給と燃焼の持続性に問題があった。
他方、石油ストーブを用いられない季節において、これをそのままにしておくことは室内や押入れなどのスペースが狭くなるといった欠点があった。
【０００５】
本発明の目的は、石油ストーブのカートリッジ式灯油タンクを入れるスペース部を複数個設置することにより、直接カートリッジ式灯油タンクを業者の方で搬送してもらうようにして、ポリエチレンタンクからカートリッジへの灯油の入れ替え作業も省き、火災や病気による突然の不慮の事故を少なくするようにしただけでなく、石油ストーブへの灯油を上記切換スイッチを用いることで、一方のタンクから供給が終ると、他方のタンクから供給することにして、間断なく灯油を燃焼部に供給できる石油ストーブを提供せんとする。
【０００６】
また、本発明の別の目的は、カートリッジ式灯油タンクの残量を外部からでも確認できる石油ストーブを提供せんとする。
【０００７】
さらに、本発明の他の目的は、石油ストーブを使わない時期にも、それを家具の一部として用いることができるようにした。
【０００８】
【課題を解決するための手段】
本発明は、上記目的を解決するためのものであって、その要旨は複数のカートリッジ式灯油タンクと、該複数のタンクを各別に収納する複数のスペース部と、該それぞれのスペース部の給油口からの灯油を供給して燃焼する燃焼部とからなる石油ストーブであって、前記複数のスペース部にある各タンクからの灯油を前記燃焼部へ供給可能にした切換スイッチを設けたことを特徴とする石油ストーブにある。
【０００９】
この発明によれば、１つのカートリッジ式灯油タンクが空になると、隣りにある他のタンクを入れ替えることなく、切換スイッチにより灯油の燃焼部への供給を切り換えることで、灯油の入れ替え作業を省いてより長時間燃焼を可能とした石油ストーブを提供することができる。
【００１０】
本発明の別の要旨は、前記石油ストーブと、該ストーブに被せる飾り棚や収納箱などの家具を組み合せたことを特徴とする請求項１又は２に記載の石油ストーブの収納方法を提供することにある。この発明によれば、夏場など時期的に不必要となった石油ストーブに食器棚、本棚、食卓などの家具によりテーブル等を被うことで無駄なスペースをなくし、季節外れの目立った物を隠蔽した状態で家具として利用することもできる。
【００１１】
【作用】
本発明では、灯油を入れたカートリッジ式灯油タンクをストーブに設けた複数個のタンク収納スペース部に収納しておき、１つのカートリッジ式灯油タンクが空になったらもう１つのカートリッジ式灯油タンクと切換スイッチで切り換えるだけで、前記各タンクから管を経由して燃焼部に灯油を供給することにより、より長時間灯油を燃焼することができる。
また、本発明では、石油ストーブを使わない時期においても、ストーブを覆うように隠蔽して家具を使用できるようにすることで、石油ストーブのあるスペースを一年中有効に利用することができる。
【００１２】
【実施例１】
本発明の一実施例である石油ストーブの一種である石油ヒータＡとカートリッジ式灯油タンクＣについて、図１と図３で以下に説明する。
石油ヒータＡは、まず図面上右側にある現在使用されている通常のカートリッジ式灯油タンク１内の灯油を、初め切換スイッチ７を矢印を中央位置から右に廻しておくことで管１３から筒体３の下部槽に貯めておき、さらに図示していない内筒体と筒体３の間に配設している火芯２の毛細管現象により灯油を火芯２の穂先に導いて、これに図示していないマッチやライター又は電池で火をつける。なお、４は一部筒体３に孔を開けた（図示せず）左右矢印方向へ回転する先方に歯車を火芯２に押し付けた火力調整ネジであり、これにより筒体３と内筒体間にある火芯２を上下することで穂先を大小調節することによって火力を増減する。５は防護棚、６は反射鏡、９，９’は中央の燃焼部１０と左右のカートリッジ式灯油タンクとを区切る仕切板である。８，８’は本発明の要部であって、石油ヒータＡの仕切板９，９’のそれぞれの外側に設けたタンク収納用スペース部であり、各スペース部には一側端を蝶着している蓋板１１，１１’を開いて上記カートリッジ式灯油タンク１，１’を各１本づつ入れるようにし、タンク１，１’の底部に設けられている逆止弁としての開閉弁を取り付けたキャップ１２，１２’があり、この逆止弁に下方の管１３，１３’の突起部が突当って、灯油を下方の管１３，１３’中へ落としてから前記火芯２を浸している筒体３の下部槽に導いている。
【００１３】
上記構成からなる石油ヒータＡに火をつけるには、火力調整ネジ４を廻すことで予め火芯２を筒体３の上方に位置する半円状の網の周囲に火芯２を出しておき、マッチ又は電池で直接火芯２の穂先に火を放つことで行なわれる。火を消すには、上記火芯２を下方の筒体３と内筒体に完全に下げて酸素の供給を止めることによる。
【００１４】
本発明で重要なことは、石油ヒータＡの左右に二つのスペース部８，８’があり、これらそれぞれにカートリッジ式灯油タンク１，１’が挿入され、各タンク下部の開閉弁を下方の管１３，１３’に設けた開閉弁の突起部に当てることによってタンク内の灯油が火芯２に導びかれる。左右の管１３，１３’が合致した箇所には、切換弁７があって初め右側のタンク１からの灯油が供給され、タンク１にガラス又はプラスチックで灯油を透かして見える透視目盛１４により、灯油がほとんど無くなるか、火芯２の火が消えそうになった折に、切換弁７を上記とは逆の矢印を左に廻してタンク１’からの灯油に切り換わる。
【００１５】
【実施例２】
本発明の別の実施例である石油ストーブの一種としての石油ファンヒータＢとカートリッジ式灯油タンクＣについて、図２と図３で以下に説明する。
石油ファンヒータＢは、タンク収納スペース部１０８，１０８’に入れたカートリッジ式灯油タンク１０１，１０１’内にある灯油を管１０３，１０３’と切換弁１０７を経ている点で上記石油ヒータＡと同じであるが、大きく違うところは上記切換弁１０７からバーナ１０２側の構造にある。すなわち、切換弁１０７のバーナ１０２側の先方には電磁ポンプ１２１が、その先に気化器１２０があり、さらにその先にバーナ１０２が設けられている。
【００１６】
このファンヒータＢに火をつけるには、電源スイッチ１２３を入れて差込プラグ１２４から取った商用電源からの電気を図示しない点火線によりバーナ１０２に火を付しておき、ついで切換弁１０７を中央位置から右に廻して電磁ポンプ１２１により灯油をカートリッジ式灯油タンク１０１の方から開閉弁１１２と管１０３及び切換弁１０７を介して来た灯油を気化器１２０の矢印から管内に入れた一次空気と混合してバーナ１０２上へ噴出することにより前記点火線によって火が付けられる。なお、１２２は上記電源からの電気によって回転することで、火炎による熱風をルーバ１０５より外方の部屋内へ送る暖房するファンである。
しかして、上記カートリッジ式灯油タンク１０１の目盛を確認して、灯油がほとんど無いか、あってもバーナ１０２が消えそうにになったとき、切換弁１０７によりカートリッジ式灯油タンク１０１からカートリッジ式灯油タンク１０１’に切り換えることで新たな灯油を管１０３’を経てバーナ１０２へ供給する。
【００１７】
【実施例３】
本発明の他の実施例として、石油ストーブの収納方法について、以下に説明する。
図４では、夏季など石油ストーブとしての前記実施例２の石油ファンヒータＢが必要ない場合に、左右両側に書棚５０，５１を配置し、中央部には蝶番５２により開閉できる蓋板５３を設けた書棚Ｄを用い、この蓋板５３の下側の中央内部にファンヒータＢを収納する。
このようにすることで、夏場など石油ストーブが必要ない時期でも、これを書棚として利用することができる。もちろん、このスペースを利用する場合、書棚以外の食器棚などの家具に利用できる。
【００１８】
【実施例４】
本発明の上記実施例３とは別の実施例を石油ストーブＡ，Ｂを用いて以下に説明する。
図５は、立に並べた前後左右４板の隠し板６４〜６７を蝶番６０〜６２で蝶着して四角筒状とし、これの上部に蓋板６８を嵌着できるようにした家具である。この家具を使用する必要がない場合には、上記４板の隠し板を二重に重ねその上から蓋板６８を重ねて収納する。使用する際は、隠し板６４〜６７で石油ストーブを角柱状に囲んで、その一端部を上下にあるフック状止具６３，６３’によって止め、その上部へ蓋板６８を嵌め込むことで、その上に人形などの飾り棚にしたり、食卓や麻雀台として利用することもできる。
【００１９】
【発明の効果】
石油ストーブに設けた複数のタンク収納用スペース部にカートリッジ式灯油タンクを収納し、これを切換スイッチにより収納した灯油の量を２倍に増やすだけでなく、燃焼時間を継続して長時間稼動させるとともに、カートリッジ式灯油タンクの前記スペースへの入れ替え作業を省き火災等の危険な事故を予防した。
また、本発明では切換スイッチにより、灯油の燃焼部への供給をあるタンクから別のタンクへスムースに切り換えを行なうことができ、燃焼も絶え間なく行なうことができる。
さらに、本発明では石油ストーブを用いない時期においても、そのスペースを家具として書棚などストーブ以外の用途に利用することもできる。
【図面の簡単な説明】
【図１】本発明の石油ヒータの一部破断斜視図である。
【図２】本発明の石油ファンヒータの一部破断斜視図である。
【図３】図１と図２の石油ストーブに使用するカートリッジ式灯油タンクの斜視図である。
【図４】石油ストーブに書棚を被せる状態を示す斜視図である。
【図５】石油ストーブに隠し板を囲んで蓋板を付した食卓を示す斜視図である。
【符号の説明】
Ａ，Ｂ  石油ストーブ
Ｃ，１，１’１０１，１０１’  カートリッジ式灯油タンク
Ｄ，Ｅ  家具
２，１０２  火芯，バーナ
７  切換弁
８，８’灯油タンクのスペース部
１２，１２’  給油口
【図１】
2004294014.tif 000003
【図２】
2004294014.tif 000004
【図３】
2004294014.tif 000005
【図４】
2004294014.tif 000006
【図５】
2004294014.tif 000007